(57)【要約】【課題】  水道管の口径及びメーカー毎に異なる水道仕切弁の形状に対応できる水道仕切弁の保護カバーを提供すること、また地下水等の流入を防止することができる水道仕切弁の保護カバーを提供すること、更には夜間の点検が容易な水道仕切弁の保護カバーを提供することにある。  【解決手段】コンクリートボックス４０内に挿入した合成樹脂製の保護カバー２００の外周面上部に、コンクリートボックス４０の内周面４１に嵌着するゴムカバー３００を装着自在に取りつけ、保護カバー２００の上端部に開閉自在の蓋４００を備え、保護カバー２００の内周面下部に水道仕切弁５０に密着させて当該円筒内を密閉状態に保持せしめる軟質性部材５００を介在させたのである。【選択図】  図８
2005290969.tif 000002
【特許請求の範囲】
【請求項１】
コンクリートボックス内に挿入した合成樹脂製円筒の外周面上部に、前記コンクリートボックスの内周面に嵌着するゴムカバーを装着自在に取りつけ、前記合成樹脂製円筒の上端部に開閉自在の蓋を備え、前記合成樹脂製円筒の内周面下部に水道仕切弁に密着させて当該円筒内を密閉状態に保持せしめる軟質性部材を介在させたことを特徴とする水道仕切弁の保護カバー。
【請求項２】
前記軟質性部材は、水道仕切弁のフランジ部又はその周辺部に密着させて固定する第１固定部と、前記第１固定部の上方に配置され蛇腹状に形成された高さ調整部と、前記高さ調整部の上方に配置され前記合成樹脂製円筒の本体部と下部との接合部に嵌着させて固定する第２固定部とから構成されていることを特徴とする請求項１記載の水道仕切弁の保護カバー。
【請求項３】
前記軟質性部材は、ゴム又は軟質塩化ビニル樹脂等の軟質性を有する素材を加工し袋状に成形されていることを特徴とする請求項１記載の水道仕切弁の保護カバー。
【請求項４】
前記合成樹脂製円筒の上部の径をコンクリートボックスの開口部の径よりも小さく形成し、前記合成樹脂製円筒の上端部に備えた開閉自在の蓋を外部から取り出し易くしたことを特徴とする請求項１乃至３記載の水道仕切弁の保護カバー。
【請求項５】
前記合成樹脂製円筒の下部の筒部分を末広がり状に形成したことを特徴とする請求項１乃至４記載の水道仕切弁の保護カバー。
【請求項６】
コンクリートボックス内に挿入した合成樹脂製円筒の外周面上部に、前記コンクリートボックスの内周面に嵌着する第１ゴムハットを取りつけると共に、前記合成樹脂製円筒の内周面下部に水道仕切弁のフランジカバーに嵌着する第２ゴムハットを固着した水道仕切弁の保護カバーにおいて、前記合成樹脂製円筒の第２ゴムハットより下方の筒部分を末広がり状に形成し、水道仕切弁を嵌入できるようにしたことを特徴とする水道仕切弁の保護カバー。  
【請求項７】
前記合成樹脂製円筒の内周面を白色乃至光線反射色又は蛍光色として夜間点検を容易にしたことを特徴とする請求項１乃至６記載の水道仕切弁の保護カバー。
【発明の詳細な説明】
【技術分野】
【０００１】
本発明は、道路下に埋設される水道管の水道仕切弁の保護カバーの改良に関する。
【背景技術】
【０００２】
本発明者は、特開２００２−１３８５２３号公報（特許文献１）に示すように、コンクリートボックスを浅埋形のものに変えてコンクリートボックス底版と浅埋された水道管との距離を大きくとるようにして道路上の車両等の荷重の影響を少なくし、又、水道管のジョイント部分等からの水洩れの発生を防止すると共に、コンクリートボックスに挿入された合成樹脂製の保護カバーを設けて、水道仕切弁のフランジより上方を雨水や土砂から保護できると共に、地震等によるコンクリートボックスのズレが発生しないことに成功したが、水道仕切弁本体は、水道本管の口径５０ミリメートル、７５ミリメートル、１００ミリメートル、１５０ミリメートル、２００ミリメートル、２５０ミリメートル等に対応して形状が大きくなり、また、製品メーカーにより形状の相違があり、一定の大きさの合成樹脂製の保護カバーでは対応できない問題が生じた。そこで発明者は、多用される一定範囲の水道仕切弁に適用できる一定大きさの合成樹脂製保護カバーを開発することに成功し、また、夜間点検を容易にできる保護カバーの開発にも成功した。この改良発明に関し、円筒部分と下部が末広がり部分の保護カバーで水道仕切弁を嵌入していることを特徴とする水道仕切弁の保護カバーについての特許出願を行っている（特願２００４−６３７６０）。
【０００３】
また、本発明者は、これまでに開発した水道仕切弁の保護カバーに更なる改良を施し、水道仕切弁の保護を強化するために道路面からの土砂流入や地下水流入を完全に防止することを目的とし円筒内を密閉状態に保持せしめることが可能となる保護カバーの開発にも成功した。
【０００４】
【特許文献１】特開２００２−１３８５２３号公報
【発明の開示】
【発明が解決しようとする課題】
【０００５】
本発明が解決しようとする具体的な課題は、水道管の口径及びメーカー毎に異なる水道仕切弁の形状に対応できる水道仕切弁の保護カバーを提供すること、また地下水等の流入を防止することができる水道仕切弁の保護カバーを提供すること、更には夜間の点検が容易な水道仕切弁の保護カバーを提供することにある。
【０００６】
本発明は、水道仕切弁及び水道管が浅く埋設されても、道路面の荷重を受け難くし地震等によるコンクリートボックスのズレが生じないようにした水道仕切弁の保護カバーを提供することにおいて、一群の発明が連関している技術的関係を有している。
【課題を解決するための手段】
【０００７】
本発明にかかる水道仕切弁の保護カバーは、上記課題を達成するため、請求項６に記載の発明は、コンクリートボックス内に挿入した合成樹脂製円筒の外周面上部に、前記コンクリートボックスの内周面に嵌着する第１ゴムハットを取りつけると共に、前記合成樹脂製円筒の内周面下部に水道仕切弁のフランジカバーに嵌着する第２ゴムハットを固着した水道仕切弁の保護カバーにおいて、前記合成樹脂製円筒の第２ゴムハットより下方の筒部分を末広がり状に形成し、水道仕切弁を嵌入できるようにしたものである。
前記下方の筒部分の対向面を隧道状に切り抜くことにより、広範囲の製品メーカーの水道仕切弁を嵌入できることが可能になり、切り抜かれた切縁をゴムカバーで保護することが好ましい。
【０００８】
本発明にかかる水道仕切弁の保護カバーは、上記課題を達成するため、請求項１に記載の発明は、コンクリートボックス内に挿入した合成樹脂製円筒の外周面上部に、前記コンクリートボックスの内周面に嵌着するゴムカバーを装着自在に取りつけ、前記合成樹脂製円筒の上端部に開閉自在の蓋を備え、前記合成樹脂製円筒の内周面下部に水道仕切弁に密着させて当該円筒内を密閉状態に保持せしめる軟質性部材を介在させたものである。
また、請求項２に記載の発明は、請求項１に記載の発明において、前記軟質性部材は、水道仕切弁のフランジ部又はその周辺部に密着させて固定する第１固定部と、前記第１固定部の上方に配置され蛇腹状に形成された高さ調整部と、前記高さ調整部の上方に配置され前記合成樹脂製円筒の本体部と下部との接合部に嵌着させて固定する第２固定部とから構成されている。
また、請求項３に記載の発明は、請求項１に記載の発明において、前記軟質性部材は、ゴム又は軟質塩化ビニル樹脂等の軟質性を有する素材を加工し袋状に成形されている。
また、請求項４に記載の発明は、請求項１乃至３に記載の発明において、前記合成樹脂製円筒の上部の径をコンクリートボックスの開口部の径よりも小さく形成し、前記合成樹脂製円筒の上端部に備えた開閉自在の蓋を外部から取り出し易くしたものである。
また、請求項５に記載の発明は、請求項１乃至４に記載の発明において、前記合成樹脂製円筒の下部の筒部分を末広がり状に形成したものである。
【０００９】
本発明にかかる水道仕切弁の保護カバーは、上記課題を達成するため、請求項７に記載の発明は、請求項１乃至６に記載の発明において、前記合成樹脂製円筒の内周面を白色乃至光線反射色又は蛍光色として夜間点検を容易にしたものである。
【発明の効果】
【００１０】
本発明によれば、水道管及び水道仕切弁が浅埋形のコンクリートボックスと共に浅く埋設されても、コンクリートボックスに対する保護カバーの挿入によって、コンクリートボックス底版と水道管との距離が大きくとれることから、道路面の荷重は、保護カバーによって水道仕切弁や水道管に作用することなく、さらに、雨水の流出や土砂の回収も容易になるなど、多くの利点をもたらす上に、本発明の保護カバーの筒長さを調整することにより、埋設深さを自由に変えることが可能になり、コンクリートボックス自体も１、２段程度の使用で対応でき、狭い個所でも設置することが可能になった。
【００１１】
また、請求項６に記載の発明によれば、一定大きさの保護カバーの下部を末広がり状に形成することにより広範囲の水道管口径範囲に使用できることになり、従来の様な、例えばコンクリートボックス２５型、３２型等の使い分けが必要でなくなり、例えば２５型タイプのようなコンクリート内面直径の小さいものですべて可能となり、経済的な施工が可能となった。その理由は、水道仕切弁が大きくなるにつれ、コンクリートボックス内面直径の大きさもそれに見合った大きさのボックスを使用していたが、保護カバーの下部が末広がり状であれば、上部は例えば直径２００ミリメートルであっても、末広がりの下部が内面直径２５０ミリメートル以上に拡大できるからである。
【００１２】
また、請求項１乃至５に記載の発明によれば、合成樹脂製円筒の上端部に開閉自在の蓋を備え、合成樹脂製円筒の内周面下部に水道仕切弁に密着させて当該円筒内を密閉状態に保持せしめる軟質性部材を介在させることにより、水道仕切弁の保護を強化するために道路面からの土砂流入を防止し且つ地下水流入を完全に防止することができるため、従来の様に、例えば災害時において水道仕切弁が土砂や地下水などで埋没してしまい作業が困難になるなどの問題を解消することが可能となり、これまで考えられていなかった付加価値の高い水道仕切弁の保護カバーを提供することができる。また、本発明者が開発した一連の水道仕切弁の保護カバーと同様に施工の方法も簡単であることから経済的な施工が可能となった。
【００１３】
また、請求項７に記載の発明によれば、合成樹脂製円筒の内周面を白色乃至光線反射色又は蛍光色としたことにより、夜間点検が容易になり作業性を高めることが可能となった。
【発明を実施するための最良の形態】
【００１４】
本発明の具体的な課題（水道管の口径及びメーカー毎に異なる水道仕切弁の形状に対応できる水道仕切弁の保護カバーを提供すること）を達成するための水道仕切弁の保護カバーは、円筒部分と下部が末広がり部分の保護カバーで水道仕切弁を嵌入していることを主要な特徴としている。以下、この水道仕切弁の保護カバーに関し、実施例１及び２において説明する。
また、本発明の具体的な課題（地下水等の流入を防止することができる水道仕切弁の保護カバーを提供すること）を達成するための水道仕切弁の保護カバーは、円筒内を密閉状態に保持せしめる蓋、軟質性部材を備えたことを主要な特徴としている。以下、この水道仕切弁の保護カバーに関し、実施例３において説明する。
なお、実施例１乃至３において説明する水道仕切弁の保護カバーは、リサイクル問題や経済性を考慮すると、合成樹脂の代わりに鋳鉄などの素材を採用することができる。また、コンクリートボックスについては、所定の内周径を有しているものであれば取り付けることができるため、レジンコンクリートなどで成形されたものであっても良い。
【実施例１】
【００１５】
本発明の実施例１は、図１乃至図４及び図７を参照して説明する。
本実施例の水道仕切弁の保護カバーは、合成樹脂製末広がり状の円筒１０と第１ゴムハット２０と第２ゴムハット３０とを備えている。
合成樹脂製末広がり状の円筒１０は、円周面を白色塗装又は蛍光色塗装した硬質塩化ビニル樹脂等の公知の合成樹脂製の円筒部分１００と末広がり部分１０１とからなり、後記第２ゴムハット３０の取付位置から下方の末広がり部分１０１は、水道仕切弁５０の上部及びフランジ５１１を嵌入できる大きさが必要で、末広がり部分１０１は図１、図３及び図４に示すように異形ソケットでもよい。
末広がり部分１０１の切り抜かれた穴１０２、１０２は、切縁１０２１、１０２１をゴムカバー１０２２、１０２２で外嵌することが好ましい。
また、末広がり部分１０１は、図３及び図４に示すように、水道仕切弁５０の設置又は取替のためのフック５１２を設けている場合は、切り欠き穴１０３、１０３を設けることが好ましい。
第１ゴムハット２０は、図７に示すように、合成樹脂製円筒１０の外周面１１上部に嵌合して固着するように取りつけられるフランジ付短円筒部分２１と、その下端で連設する可撓性の座金状のゴムハット縁２２であって、コンクリートボックス内周面４１に曲げ下げられてハット縁先２２１を嵌着できるようにしたものとからなる。適当数設けられる水はけ２３は、ハット縁２２と一体成形されているが、それよりも僅かに中心方向に短く、かつ、浅溝を形成して排水できるようにしている。また、フランジ付短円筒部分２１の代わりに、特開２００２−１３８５２３号の図５に示すコ字状部分２１Ｂを円筒１０の上端に嵌合して固着するように取りつけてもよい。
さらに、第１ゴムハットは、特開２００２−１３８５２３号の図６に示すように、前記短円筒部分２１又はコ字状部分２１Ｂと可撓性座金状のゴムハット縁２２とハット縁先２１１に切欠きを設けた水はけ２３Ｂとからなるもの２０Ｂでもよい。
第２ゴムハット３０は、特開２００２−１３８５２３号の図１、図７及び図８に示すように、合成樹脂製円筒１０の内周面１２下部に嵌合して固着する短円筒部分３１と、その下端で連設する水抜き穴（図示しない）付きの円板状のゴムハット縁３２とからなっている。ゴムハット縁３２には開口部３３が設けられ、開口部３３は、水道仕切弁５０のフランジカバー５１の外形に嵌合するもので、ゴムハット縁３２をフランジカバー５１に沿って開口部３３から曲げ上げることにより密着される。
従って、水道管６０及び水道仕切弁５０を埋設の際に、合成樹脂製末広がり円筒１０を図３及び図４に示すように、水道管６０に跨がるように挿入してコンクリートボックス４０を設置すれば、円筒１０の外周面１１の上部に取りつけられた第１ゴムハット２０は、コンクリートボックス４０の内周面４１に嵌着し、また円筒１０の内周面１２の下部に取りつけられた第２ゴムハット３０は、水道仕切弁５０のフランジカバー５１に嵌着できることになる。
この場合、コンクリートボックス底版４２と水道管６０との間の距離は、第１ゴムハット２０がコンクリートボックス４０内周面を自由に移動して嵌着できることから、微少な調整が容易にできることになる。
また、コンクリートボックス４０内に軽量の合成樹脂製末広がり円筒１０を挿入したことから、道路面に作用する荷重は円筒１０に作用せず、このため水道仕切弁５０や水道管６０には何らの負担がかからない。
道路から流入する水は、第１ゴムハットの水はけ２３又は２３Ｂから土砂７０中に流出し、また、第２ゴムハット３０の水抜き穴から土砂７０中に流出する。また、道路から流入した土砂は、その殆どが第１ゴムハット２０及び第２ゴムハット３０上に集積するので、定期的に回収すればよい。
さらに、本発明実施例では、末広がり部分１０１の円径を２５０ミリメートルとすれば、水道管口径２００ミリメートル以下の範囲はすべて末広がり円筒１０で使用できることになる。
【実施例２】
【００１６】
本発明の実施例２は、図５及び図６を参照して説明する。
本実施例の水道仕切弁の保護カバーは、合成樹脂製末広がり状の円筒１０Ｂと第１ゴムハット２０と第２ゴムハット３０とを備えている。
合成樹脂製末広がり状の円筒１０Ｂは、円周面を白色塗装又は蛍光色塗装した硬質塩化ビニル樹脂等の公知の合成樹脂製の円筒部分１００Ｂと末広がり部分１０１Ｂとからなり、後記第２ゴムハット３０の取付位置から下方の末広がり部分１０１Ｂは、仕切弁カバー５１Ｂ用のフランジ５１１Ｂを嵌入できる大きさが必要で、末広がり部分１０１Ｂは、円筒１０Ｂの下方に一体的に形成したものである。
第１ゴムハット２０及び第２ゴムハット３０は、実施例１と同様であるので詳細説明は省略する。
従って、水道管６０及び水道仕切弁５０Ｂを埋設の際に、合成樹脂製末広がり円筒１０Ｂを図５及び図６に示すように、水道管６０に跨がるように挿入してコンクリートボックス４０を設置すれば、円筒１０Ｂの外周面１１Ｂの上部に取りつけられた第１ゴムハット２０は、コンクリートボックス４０の内周面４１に嵌着し、また円筒１０Ｂの内周面１２Ｂの下部に取りつけられた第２ゴムハット３０は、水道仕切弁５０Ｂのフランジカバー５１Ｂに嵌着できることになる。
【実施例３】
【００１７】
本発明の実施例３は、図８乃至図１１を参照して説明する。
本実施例の水道仕切弁の保護カバーは、合成樹脂製の円筒本体部２１０に円筒下部２２０と円筒上部２３０を差し込み連結された保護カバー２００と、円筒本体部２１０の外周面に装着自在に取りつけられ且つコンクリートボックスの内周面４１に嵌着するゴムカバー３００と、円筒上部２３０の上端部に開閉自在に取りつけられた蓋４００と、保護カバー２００の内周面下部に水道仕切弁５０に密着させて円筒内を密閉状態に保持せしめる軟質性部材５００とを備えている。
保護カバー２００の円筒下部２２０は、実施例１及び２で説明した保護カバーと同様に末広がり状に形成することができ、保護カバー２００の全体構成は、図８に示すように合成樹脂製の円筒本体部２１０に円筒下部２２０と円筒上部２３０を差し込むタイプとは別に一体形成されているものであっても良い。また、保護カバー２００の内周面は、夜間点検を容易にするため白色塗装又は蛍光色塗装がなされていることが好ましい。
ゴムカバー３００は、図８に示すように、合成樹脂製の円筒本体部２１０の外周面に嵌合して装着自在に取りつけられる短円筒部分３１０と、その上端で連設する可撓性の縁部３２０とからなり、コンクリートボックス内周面４１に曲げ下げられて縁部３２０を嵌着できるようにしている。ゴムカバー３００には、道路から流入する雨水等の排水を行うための浅溝状の水はけ又は切り欠き（図示省略、特開２００２−１３８５２３号の図２及び図６参照）が縁部３２０に形成されている。なお、ゴムカバー３００は、ゴム製品の代わりに、可撓性のある合成樹脂製品であっても良い。
蓋４００は、合成樹脂製の円筒上部２３０の上端部に嵌合して開閉自在に取りつけられ、合成樹脂製円筒の円筒上部２３０の上端部の径をコンクリートボックスの開口部４３の径よりも小さく形成することにより、開閉自在の蓋４００を外部から取り出し易くすることができる。図８に示すように、例えば、円筒本体部２１０に直径２００ミリメートルの部材を採用し、円筒上部２３０に直径１５０ミリメートルの部材を採用することにより、円筒上部２３０の上端部を縮小させる。本実施例では、円筒本体部２１０の外側に円筒上部２３０を取りつける施工例を示しているが、円筒本体部２１０の内側に収まるように加工した円筒上部２３０ａ（図示省略）を取りつけても良い。このように円筒本体部２１０の内側に蓋４００を含めた円筒上部２３０ａの全体が収まるように施工した場合には、蓋４００の上に土砂が集積するので土砂の回収が容易になる。なお、合成樹脂製円筒の円筒上部２３０の上端部の径がコンクリートボックスの開口部４３の径よりも大きい場合には、蓋自体の取り出しが困難になるという問題を有することになるが、蓋自体を可撓性のある軟質性素材（軟質プラスチック、軟質塩化ビニル樹脂、ゴム等）により形成することにより問題の解決を図ることができる。
保護カバー２００の円筒内を密閉状態に保持せしめる軟質性部材５００は、図８及び図９に示すように、水道仕切弁５０のフランジ５１１に密着させて固定する第１固定部５１０と、第１固定部５１０の上方に配置され蛇腹状に形成された高さ調整部５２０と、高さ調整部５２０の上方に配置され合成樹脂製の円筒本体部２１０と円筒下部２２０との接合部に嵌着させて固定する第２固定部５３０とから構成されている。
軟質性部材５００は、密閉用のいわゆるゴムカバーとしての役割を果たすものであれば良く、ゴム又は軟質塩化ビニル樹脂等の軟質性のある素材を加工して成形される。また、軟質性部材５００の全体構成は、図８及び図９に示すように水道仕切弁５０のフランジ５１１に密着させて固定するタイプに限定されず、水道仕切弁５０を取り巻く形状で袋状に成形して水密性を保持できるものであれば良い。
軟質性部材５００の第１固定部５１０は、水道管６０の口径５０ミリメートル、７５ミリメートル、１００ミリメートルに対応して水道仕切弁５０のフランジ部分が大きくなることから、いずれの形状の水道仕切弁５０にも対応できるようにするため、図９に示すように下方に向かって径が順次減少する形状に形成され、内周面には半円状又は三角形状の突起５１５が３箇所設けられている。この半円状又は三角形状の突起５１５を水道仕切弁５０のフランジ５１１に食い込ますことにより固定される。ここで、突起５１５の形状については、三角形状のように鋭角である方が取りつけ易くなる。また、図１０に示すようにステンレス製の固定バンド５１６を使用して取りつけを強固にしても良い。
軟質性部材５００の高さ調整部５２０は、図９に示すように第１固定部５１０の上方に配置され蛇腹状に形成されている。これにより、施工する際に水道仕切弁５０との間隔や位置関係にばらつきがある場合でも対応が可能になる。
軟質性部材５００の第２固定部５３０は、図９に示すように高さ調整部５２０の上方に配置され、合成樹脂製の円筒本体部２１０と円筒下部２２０との接合部に嵌着させることにより固定され、それと同時に水密性が保持される。
第２固定部５３０の構成は、図９及び図１０に示すように上端部を外側に屈曲させて形成したコ字状の挟持部５３１からなり、この挟持部５３１の内部には円筒下部２２０の上端部が差し込まれるようになっている。また、挟持部５３１の外側部の外周面には、円筒本体部２１０の下端部を差し込み易くし且つ水密性を高めるためのハット状又は半円状の突起５３２が複数個設けられている。また、図９に示すようにハット状又は半円状の突起５３２の間隙には、水分を吸収して膨張するいわゆる膨張ゴムリング５３３と称する部材を装着することができる。ただし、このような膨張ゴムリング５３３がなくても水密性の保持は可能であるが、膨張ゴムリング５３３を取りつけることにより完全な止水が可能となる。
上記は、円筒本体部２１０と円筒下部２２０との接合部について、円筒下部２２０の上端部の外側に円筒本体部２１０の下端部を差し込むタイプにおける軟質性部材５００の具体的構成を説明したが、円筒下部２２０の上端部の内側に円筒本体部２１１の下端部を差し込むタイプにおける別の軟質性部材の具体的構成を、図１１に基づいて説明する。
軟質性部材６００は、図１１に示すように、水道仕切弁５０のフランジ５１１に密着させて固定する第１固定部６１０と、第１固定部６１０の上方に配置され蛇腹状に形成された高さ調整部６２０と、高さ調整部６２０の上方に配置され合成樹脂製の円筒本体部２１１と円筒下部２２０との接合部に嵌着させて固定する第２固定部６３０とから構成されている。ここで、第１固定部６１０と高さ調整部６２０は、上述した第１固定部５１０と高さ調整部５２０と同様であるので説明は省略する。
軟質性部材６００の第２固定部６３０は、上記と同様に合成樹脂製の円筒本体部２１１と円筒下部２２０との接合部に嵌着させることにより固定され、それと同時に水密性が保持される。
第２固定部６３０の構成は、図１１に示すように上端部を外側に屈曲させて形成したコ字状の挟持部６３１からなり、挟持部６３１の内部には円筒下部２２０の上端部が差し込まれるようになっている。挟持部６３１の内側部の内周面及び外周面にハット状又は半円状の突起６３２が複数個設けられている。、この挟持部６３１の内側部の内周面に設けられたハット状又は半円状の突起６３２に沿って円筒本体部２１１の下端部が差し込まれるようになっている。
以上のように、本実施例の水道仕切弁の保護カバーは、合成樹脂製の保護カバー２００の上端部に開閉自在の蓋４００を備え、保護カバー２００の内周面下部に水道仕切弁５０に密着させて当該円筒内を密閉状態に保持せしめる軟質性部材５００・６００を介在させることにより、道路面からの土砂流入を防止し且つ地下水流入を完全に防止することができるため、水道仕切弁５０の保護を強化することが可能になるのである。
なお、軟質性部材５００・６００については、水道仕切弁５０に密着させて当該円筒内を密閉状態に保持せしめる役割を果たすものであれば良いため、上述した第１固定部５１０・６１０、第２固定部５３０・６３０の形状・構造については、水道仕切弁の保護カバー及び水道仕切弁の種類・形状・構造などに対応させて適宜変更することができる。例えば、接着手段を用いて水道仕切弁の保護カバー及び水道仕切弁に取りつけることも考えられる。また、水密性を保持することができる他の構成を採用すれば、上述した挟持部５３１・６３１の形状・構造を簡素化することも可能である。
【産業上の利用可能性】
【００１８】
本発明の水道仕切弁の保護カバーは、安価に量産できる。
【図面の簡単な説明】
【００１９】
【図１】本発明の実施例１を示す保護カバーの斜視図である。
【図２】図１に使用するゴムカバーの拡大断面図である。
【図３】本発明の実施例１の全体説明図である。
【図４】本発明の実施例１の別の全体説明図である。
【図５】本発明の実施例２の全体説明図である。
【図６】本発明の実施例２の別の全体説明図である。
【図７】図３に使用する第１ゴムハットの部分断面説明図である。
【図８】本発明の実施例３の全体説明図である。
【図９】図８に使用する軟質性部材の断面説明図である。
【図１０】合成樹脂製円筒内を密閉状態に保持せしめる軟質性部材を取りつけた状態を示す部分断面説明図である。
【図１１】合成樹脂製円筒内を密閉状態に保持せしめる軟質性部材を取りつけた状態を示す別の部分断面説明図である。
【符号の説明】
【００２０】
１０、１０Ｂ  保護カバー
１００、１００Ｂ  円筒部分
１０１、１０１Ｂ  末広がり部分
１１、１１Ｂ  円筒部分の外周面
１２、１２Ｂ  円筒部分の内周面
２０  第１ゴムハット
３０  第２ゴムハット
４０  コンクリートボックス
４１  コンクリートボックスの内周面
４３  コンクリートボックスの開口部
５０、５０Ｂ  水道仕切弁
５１、５１Ｂ  水道仕切弁のフランジカバー
６０  水道管
２００  保護カバー
２１０  円筒本体部
２２０  円筒下部
２３０  円筒上部
３００  ゴムカバー
４００  蓋
５００、６００  軟質性部材
【図１】
2005290969.tif 000003
【図２】
2005290969.tif 000004
【図３】
2005290969.tif 000005
【図４】
2005290969.tif 000006
【図５】
2005290969.tif 000007
【図６】
2005290969.tif 000008
【図７】
2005290969.tif 000009
【図８】
2005290969.tif 000010
【図９】
2005290969.tif 000011
【図１０】
2005290969.tif 000012
【図１１】
2005290969.tif 000013